(57)【特許請求の範囲】
【請求項１】
入力された画像信号に基づいて画像の階調に対応する複数の駆動パルスを選択的に印加するディスプレイパネルの駆動方法であって、
前記ディスプレイパネルを構成する各セルにおける所定時間内の総発光回数を求め、当該総発光回数を累積して累積発光回数を算出し、前記累積発光回数に基づいて、ディスプレイパネルの発光特性の変化を打ち消すように、前記駆動パルスの電圧値又は前記駆動パルスの印加タイミングのいずれか一方を制御することを特徴とするディスプレイパネルの駆動方法。
【請求項２】
１フィールド内の前記画像信号の平均輝度レベルと１フィールド内の前記駆動パルスの総数を乗算して求めた前記総発光回数を累積して前記累積発光回数を算出することを特徴とする請求項１に記載のディスプレイパネルの駆動方法。
【請求項３】
入力された画像信号に基づいて画像の階調に対応する複数の駆動パルスを選択的に印加するディスプレイパネルの駆動装置であって、
前記ディスプレイパネルを構成する各セルにおける所定時間内の総発光回数を求め、当該総発光回数を累積して累積発光回数を算出する累積発光回数算出手段と、
前記累積発光回数に基づいて、ディスプレイパネルの発光特性の変化を打ち消すように、前記駆動パルスの電圧値又は前記駆動パルスの印加タイミングのいずれか一方を制御する制御手段と、
を備えることを特徴とするディスプレイパネルの駆動装置。
【請求項４】
前記累積発光回数算出手段は、１フィールド内の前記画像信号の平均輝度レベルと１フィールド内の前記駆動パルスの総数を乗算して求めた前記総発光回数を累積して前記累積発光回数を算出することを特徴とする請求項３に記載のディスプレイパネルの駆動装置。
【発明の詳細な説明】
【０００１】
【発明の属する技術分野】
本発明は、入力された画像信号に基づいて画像の階調に対応する複数の駆動パルスを選択的に印加するディスプレイパネルの駆動方法及びプラズマディスプレイパネルの駆動装置の技術分野に属するものである。
【０００２】
【従来の技術】
近年、プラズマディスプレイパネル等の表示デバイスが注目され、ディスプレイの更なる大画面化と薄型化が期待されている。こうした表示デバイスを用いた映像表示装置では、長期間にわたって安定な画質特性を保持することが必要とされる。一般に、プラズマディスプレイの寿命として３０００〜５０００時間程度が想定されるので、この期間においてはプラズマディスプレイパネルの放電特性を均一に維持し良好な画質を確保することが望まれる。
【０００３】
【発明が解決しようとする課題】
しかしながら、プラズマディスプレイパネルを構成する放電セルを長期間にわたって繰り返し発光させた場合には、その放電特性に経年変化が生じることは避けられない。例えば、プラズマディスプレイを長期間使用し続けることにより、放電セルにおける放電電圧が低下して十分な発光を行うことができなくなると、表示画面の画質劣化を招くことになる。このように、プラズマディスプレイパネル等の表示デバイスを用いる場合、初期状態では良好な画質であったとしても、経年変化に起因して長期間の使用時に良好な画質を維持し続けることが困難であるという問題があった。
【０００４】
そこで、本発明は、このような問題に鑑みなされたものであり、ディスプレイパネルにおける表示デバイスの特性が経年変化する場合に対応して駆動量を適切に制御することにより、ディスプレイパネルを長期間使用する場合に良好な画質を維持し続けることが可能なディスプレイパネルの駆動方法等を提供することを目的とする。
【０００５】
上記課題を解決するため、請求項１に記載のディスプレイパネルの駆動方法は、入力された画像信号に基づいて画像の階調に対応する複数の駆動パルスを選択的に印加するディスプレイパネルの駆動方法であって、前記ディスプレイパネルを構成する各セルにおける所定時間内の総発光回数を求め、当該総発光回数を累積して累積発光回数を算出し、前記累積発光回数に基づいて、ディスプレイパネルの発光特性の変化を打ち消すように、前記駆動パルスの電圧値又は前記駆動パルスの印加タイミングのいずれか一方を制御することを特徴とする。
【０００６】
また、請求項３に記載のディスプレイパネルの駆動装置は、入力された画像信号に基づいて画像の階調に対応する複数の駆動パルスを選択的に印加するディスプレイパネルの駆動装置であって、前記ディスプレイパネルを構成する各セルにおける所定時間内の総発光回数を求め、当該総発光回数を累積して累積発光回数を算出する累積発光回数算出手段と、前記累積発光回数に基づいて、ディスプレイパネルの発光特性の変化を打ち消すように、前記駆動パルスの電圧値又は前記駆動パルスの印加タイミングのいずれか一方を制御する制御手段と、を備えることを特徴とする。
【０００７】
請求項１と請求項３にそれぞれ記載の発明によれば、入力された画像信号に基づいてディスプレイパネルを駆動する場合、印加された複数の駆動パルスに対応する総発光回数を累積し、得られた累積発光回数に基づいて、ディスプレイパネルの発光特性の変化を打ち消すように、駆動パルスの電圧値又は駆動パルスの印加タイミングのいずれか一方を制御し、これによりディスプレイパネルの経年変化を補償するように機能させる。よって、長期間にわたってディスプレイパネルを使用し続けた場合、その発光特性が時間の経過とともに変化する場合であっても、駆動パルスの電圧値又は駆動パルスの印加タイミングのいずれか一方を適切に制御することにより安定な発光特性を確保して画質劣化を有効に防止することができる。
また、上記の累積発光回数に基づいて、ディスプレイパネルに印加される駆動パルスの電圧値を制御する場合には、例えば、ディスプレイパネルの発光特性の変化を打ち消すように電圧値を増減して画質劣化を有効に防止することができる。
更に、上記の累積発光回数に基づいて、ディスプレイパネルに印加される駆動パルスの印加タイミングを制御する場合には、例えば、ディスプレイパネルの発光特性の変化を打ち消すように駆動パルスの印加タイミングを前後に調整して画質劣化を有効に防止することができる。
【００１７】
請求項２に記載のディスプレイパネルの駆動方法は、請求項１に記載のディスプレイパネルの駆動方法において、１フィールド内の前記画像信号の平均輝度レベルと１フィールド内の前記駆動パルスの総数を乗算して求めた前記総発光回数を累積して前記累積発光回数を算出することを特徴とする。
【００１８】
また、請求項４に記載のディスプレイパネルの駆動装置は、請求項３に記載のディスプレイパネルの駆動装置において、前記累積発光回数算出手段は、１フィールド内の前記画像信号の平均輝度レベルと１フィールド内の前記駆動パルスの総数を乗算して求めた前記総発光回数を累積して前記累積発光回数を算出することを特徴とする。
【００１９】
請求項２と請求項４にそれぞれ記載の発明によれば、上記の累積発光回数を算出する場合、入力された画像信号から１フィールドごとに平均輝度レベルを求め、その平均輝度レベルに１フィールド内の駆動パルスの総数を乗じ、乗算結果を累積するようにしたので、画像信号から容易に累積発光回数を得ることができるので、効率的な処理によりディスプレイパネルの経年変化を補償することができる。
【００２０】
【発明の実施の形態】
以下、本発明の好適な実施形態を図面に基づいて説明する。本実施形態においては、プラズマディスプレイパネルを用いた映像表示装置に対して本発明を適用した場合の実施の形態を説明する。
【００２１】
図１は、本実施形態に係る映像表示装置の要部構成を示すブロック図である。
図１に示す映像表示装置は、Ａ／Ｄ変換器１０と、表示データ生成部１１と、アドレスドライバ１２と、Ｘサスティンドライバ１３と、Ｙサスティンドライバ１４と、ＰＤＰ１５と、ＡＰＬ算出部１６と、累積発光回数算出部１７と、累積使用時間検出部１８と、制御部１９とを備えている。
【００２２】
以上の構成において、Ａ／Ｄ変換器１０は、入力されたアナログの画像信号を、所定のタイミング信号に同期しつつディジタル化し、ディジタルの画像データに変換する。Ａ／Ｄ変換器１０から出力された画像データは、表示画面を構成する複数の画素データが配列されたものであり、それぞれの画素データは例えば８ビットが割り当てられる。
【００２３】
表示データ生成部１１は、Ａ／Ｄ変換器１０から出力された画像データを蓄積し、１フィールドごとに輝度、γ補正、階調などを適切に調整するとともに、後述のＰＤＰ１５の駆動方法であるサブフィールド法に適合する表示データを生成する。表示データ生成部１１では、制御部１９によって指示されたタイミングで表示対象とすべき表示データをアドレスドライバ１２に出力する。
【００２４】
アドレスドライバ１２は、表示画面を形成する表示データに基づいて、ＰＤＰ１５に設けられたｍ個のアドレス電極Ｄ1〜Ｄmに対し、画素データに対応して印加すべきデータパルスを生成する。また、Ｘサスティンドライバ１３は、ＰＤＰ１５に設けられたｎ個のサスティン電極Ｘ1〜Ｘnに対し所定のタイミングで印加すべき駆動パルスとして、リセットパルスやサスティンパルスを生成する。同様に、Ｙサスティンドライバ１４は、上記のサスティン電極Ｘ1〜Ｘnと対をなすｎ個のサスティン電極Ｙ1〜Ｙnに対し所定のタイミングで印加すべき駆動パルスとして、リセットパルス、走査パルス、サスティンパルスなどを生成する。
【００２５】
ＰＤＰ１５は、表示画面に対応する領域において、一方のサスティン電極Ｘ1〜Ｘnと他方のサスティン電極Ｙ1〜Ｙnが平行配置され、そこにアドレス電極Ｄ1〜Ｄmが交差する３電極面放電構造を有する表示デバイスである。そして、ＰＤＰ１５において３電極が形成された層は放電空間に対して誘電体層で被覆されており、各電極の交点にて１画素に対応する放電セルが形成され、表示データに対応する各パルスを印加することによりＰＤＰ１５に所望の画像を表示させることができる。
【００２６】
ここで、図２及び図３を参照して、サブフィールド法に基づくＰＤＰ１５の駆動方法を説明する。本実施形態に係る映像表示装置では、映像の階調表現を行うために、１フィールドを複数のサブフィールドに分割し、１サブフィールド内にてアドレス放電とサスティン放電を行ってＰＤＰ１５を駆動する。一般にＮＴＳＣ方式では、１秒間に３０フレームの画像が形成され、１フレームが２フィールドからなるので、１秒間は６０フィールドに対応する。図２に示すように、各々のフィールドをＮ個のサブフィールド（ＳＦ）で構成し、各サブフィールドにおいてリセット期間、アドレス期間、サスティン期間をそれぞれ設けている。そして、先頭のサブフィールドからＮ番目のサブフィールドに至るまで順次サスティン期間を長く設定し、放電セルに対し所望の輝度に対応する所定数のサスティンパルスを印加できるようにしている。
【００２７】
図３には、各サブフィールドのリセット期間、アドレス期間、サスティン期間において、ｉ番目のサスティン電極Ｘi及びサスティン電極Ｙiに対応して印加される各パルスの波形パターンを示している。まず、リセット期間において、サスティン電極Ｘiに負電圧のリセットパルスＲＰXが印加されると同時に、サスティン電極Ｙiに正電圧のリセットパルスＲＰyが印加される。すると、ＰＤＰ１５の各放電セルは一斉にリセット放電を起こし、リセット放電の終了後には各放電セル内に所定量の壁電荷が形成される。
【００２８】
次に、アドレス期間において、アドレス電極Ｄ1〜Ｄmに高電圧又は低電圧のデータパルスＤＰが印加されるタイミングで、サスティン電極Ｙiに負電圧の走査パルスＳＰが印加される。このとき、選択消去放電の作用により、高電圧のデータパルスＤＰが印加された放電セルでは、走査パルスＳＰの印加時に放電が生じてその壁電荷が消滅する。一方、低電圧のデータパルスＤＰが印加された放電セルでは、走査パルスＳＰの印加時に放電が生じないので、壁電荷が残留した状態を保つ。
【００２９】
次に、サスティン期間において、サスティン電極Ｘiに正電圧のサスティンパルスＩＰxが印加されるとともに、所定の間隔をおいてサスティン電極Ｙiに正電圧のサスティンパルスＩＰyが印加される。このように、サスティンパルスＩＰX及びサスティンパルスＩＰYが交互に印加される度に、壁電荷が残留した状態にある放電セルにおいて放電発光を繰り返すことになる。ここで、映像表示装置を長期間使用した場合には、各放電セルの放電特性の経年変化によってＰＤＰ１５の画質劣化を引き起こす。そのため、本実施形態では、後述するようにサスティンパルスＩＰx、ＩＰyの電圧値と印加タイミングを制御して、放電セルの放電特性の経年変化を補償しているが、具体的な方法については後述する。
【００３０】
次に図１において、ＡＰＬ算出部１６は、Ａ／Ｄ変換器１０から出力された画像データに関し、１フィールドごとに画像データにおける平均輝度レベルであるＡＰＬ (Average Picture Level)値を算出する。輝度レベルの範囲を０〜１で表現した場合は、黒色の表示画面に対してはＡＰＬ値が０に近づき、白色の表示画面に対してはＡＰＬ値が１に近づくことになる。ＡＰＬ算出部１６によって算出されたＡＰＬ値は、累積発光回数算出部１７及び制御部１９に出力される。
【００３１】
累積発光回数算出部１７は、上記のＡＰＬ値に基づいて１フィールドごとのＰＤＰ１５の総発光回数を求め、これを累積して累積発光回数を算出する。１フィールドごとのＰＤＰ１５の総発光回数は、１フィールド内の総サスティンパルス数Ｋに上記のＡＰＬ値を乗じて求められる。なお、１フィールド内の総サスティンパルス数Ｋは、それぞれのサブフィールドの重み付けに応じた総サスティンパルス数Ｋ1〜ＫNを合計したものである。そして、本実施形態に係る映像表示装置では、輝度レベルの制限機能を前提とするので、総サスティンパルス数Ｋは、予め設定されたＡＢＬ (Automatic Brigtness Limiter)特性に応じて決定される。
【００３２】
ここで、図４は、上記のＡＢＬ特性の一例を示す図である。図４においては、ＡＰＬ値をパーセント表示で横軸に示し、これに対応する１フィールド内の総サスティンパルス数Ｋを縦軸に示している。図４に示すように、ＡＰＬ値が所定値以上である場合、ＡＰＬ値が大きくなるにつれて、総サスティンパルス数Ｋを徐々に減少させるように輝度制限が行われる。このように、総サスティンパルス数Ｋによって表示画面の輝度制限を行うことにより、表示画面における適正な輝度を保ちながら消費電力を抑えることができる。
【００３３】
かかるＡＢＬ特性に基づく総サスティンパルス数ＫとＡＰＬ値との乗算結果である上述の１フィールドごと総発光回数が、累積発光回数算出部１７によって保持される累積発光回数に加えられ、順次、累積発光回数が更新されていく。この累積発光回数は、例えば不揮発性のメモリに保持しておけばよい。なお、累積発光回数算出部１７によって保持される累積発光回数は、後述の駆動制御に用いるべく制御部１９に出力される。
【００３４】
一方、累積使用時間検出部１８は、映像表示装置における使用時間を累積した累積使用時間を検出する。累積使用時間検出部１８では、映像表示装置の電源を起動してＰＤＰ１５を駆動する時間を検出するための計時手段（不図示）を利用し、その出力を参照して保持される累積使用時間を逐次更新する。なお、累積使用時間検出部１８によって検出された累積使用時間は、上記の累積発光回数の場合と同様に後述の駆動制御に用いるべく制御部１９に出力される。
【００３５】
次に、制御部１９は、本実施形態に係る映像表示装置の動作を全体的に制御する制御手段としての役割を担う。制御部１９は、ＰＤＰ１５を駆動するためのＸサスティンドライバ１３とＹサスティンドライバ１４の動作を制御する。本実施形態においては、上述のように得られた累積発光回数又は累積使用時間を用いて、ＰＤＰ１５に対する所定の駆動量を適宜変更するように制御する。なお、累積発光回数と累積使用時間のいずれを用いて制御するかは、制御部１９によって選択的に決定できるものとし、操作手段によって一方をユーザに選択させるように構成してもよい。
【００３６】
以下、制御部１９における具体的な制御方法として、累積発光回数又は累積使用時間に応じて、Ｘサスティンドライバ１３又はＹサスティンドライバ１４における所定の駆動量を制御する場合の具体例を説明する。ここでは、Ｘサスティンドライバ１３又はＹサスティンドライバ１４の各駆動パルス（サスティンパルスＩＰx、ＩＰy、走査パルスＳＰ）の電圧値を変更する制御方法と、サスティンパルスＩＰx、ＩＰyの印加タイミングを変更する制御方法について説明する。
【００３７】
図５は、累積発光回数又は累積使用時間に応じて、Ｘサスティンドライバ１３又はＹサスティンドライバ１４の各駆動パルスの電圧値を変更する制御方法の一例を示す図である。図５の例では、累積発光回数又は累積使用時間が増加するに従って、駆動パルスの電圧値を緩やかに上昇させる場合を示している。これにより、映像表示装置の長期間にわたる使用により、ＰＤＰ１５の各放電セルの放電電圧が経年変化で低下する場合、これを補償し得るように各駆動パルスの電圧値が増加することになる。そのため、映像表示装置における画質の経年劣化を抑えることができる。なお、ＰＤＰ１５では温度条件によって各放電セルの放電特性が変化するので、例えば、図５に示すように、使用温度の条件に依存して各駆動パルスの電圧値を上下にシフトさせるように制御してもよい。
【００３８】
なお、制御部１９では、図５に示すような特性をテーブル化して所定のメモリに保持し、上記の駆動パルスの電圧値を読み出してＸサスティンドライバ１３又はＹサスティンドライバ１４に対し設定すればよい。この場合、Ｘサスティンドライバ１３とＹサスティンドライバ１４は、外部からの設定に応じて出力電圧を可変制御できるような構成を具備するものとする。
【００３９】
次に図６は、累積発光回数又は累積使用時間に応じて、サスティンパルスＩＰx、ＩＰyの印加タイミングを変更する制御方法の一例を示す図である。図６の例では、累積発光回数又は累積使用時間に応じて、サスティンパルスＩＰx、ＩＰyの立ち上りタイミングを変化させる場合を示している。図６に示すように、サスティンパルスＩＰx、ＩＰyは、実際には台形状の波形パターンを有し、所定の立ち上り時間でローレベルからハイレベルに変化し、一定時間ハイレベルを保持し、さらに所定の立ち下り時間でハイレベルからローレベルに変化することにより、１つのサスティンパルスＩＰx、ＩＰyが構成される。
【００４０】
図６に実線で示すように、初期状態では先行するサスティンパルスＩＰxの立ち下りタイミングｔ０から所定時間をおいて、後続のサスティンパルスＩＰyの立ち上りタイミングｔ１が設定される。そして、累積発光回数又は累積使用時間が増加するに従って、後続のサスティンパルスＩＰyの立ち上りタイミングｔ１を早くし、先行するサスティンパルスＩＰxの立ち下りタイミングｔ０に近づけるように制御する。これにより、後述する理由により、サスティンパルスＩＰyに基づく放電セルの放電電圧を瞬間的に大きくすることができ、上述した各駆動パルスの電圧値を上昇させる場合と同様に、ＰＤＰ１５の経年変化を補償することができる。
【００４１】
なお、図６では、一方のサスティンパルスＩＰｘの立ち上りタイミングを制御する場合を示しているが、他方のサスティンパルスＩＰｙの立ち上りタイミングを制御する場合も同様の作用がある。また、サスティンパルスＩＰｘ、ＩＰxの立ち上りタイミングを制御する代わりに、その立ち下りタイミングを制御して、サスティンパルスＩＰx及びサスティンパルスＩＰyの相対的関係が図６と同様になるように制御してもよい。また、サスティンパルスＩＰx、ＩＰyの立ち上りタイミング及び／又は立ち下りタイミングを制御して、パルス幅を変えずに一方のサスティンパルスの立ち上り部と他方のサスティンパルスの立ち下り部との相対的関係が図６と同様になるように制御してもよい。
【００４２】
ここで、図７と図８を用いて、上記のようにサスティンパルスＩＰyの立ち上りタイミングが早くなるように制御した場合、サスティンパルスＩＰyに基づく放電セルの放電電圧が瞬間的に大きくなる理由を説明する。図７は、Ｙサスティンドライバ１４のうちサスティンパルスＩＰｙの出力回路の回路構成を示す図である。図７に示すように、サスティンパルスＩＰｙの出力回路は、２つのコイルＬ１、Ｌ２とコンデンサＣ１とダイオードＤ１、Ｄ２によって共振回路を形成しており、電源Ｂによって電圧Ｖｓを供給した状態で、４つのスイッチＳ１、Ｓ２、Ｓ３、Ｓ４の開閉制御を行うことによりサスティンパルスＩＰｙを発生する。そして、サスティンパルスＩＰyの出力回路は、サスティン電極Ｙ1〜Ｙnのいずれかを介してＰＤＰ１５の所定の放電セルＣに接続されるとともに、この放電セルＣにおいて対になるサスティン電極Ｘ1〜Ｘnのいずれかを介してサスティンパルスＩＰxの出力回路が接続される。なお、図７では省略しているが、他方のサスティンパルスＩＰxの出力回路に関しても、同様の回路構成になる。
【００４３】
このように構成されるサスティンパルスＩＰyの出力回路に対し、図８に示すようにスイッチＳ１〜Ｓ４が開閉制御される。すると、コイルＬ１、Ｌ２とコンデンサＣ１の共振特性の作用に基づき、サスティンパルスＩＰyの波形は、スイッチＳ１がオンのときに立ち上り、スイッチＳ２がオンのとき電圧Ｖｓを保ち、スイッチＳ２がオンのときに立ち下がるように変化する。この間、図８に示すように、スイッチＳ４がオフの状態で保たれる。
【００４４】
一方、図８のサスティンパルスＩＰyの立ち上りタイミングｔ１を、図６に示すように、先行するサスティンパルスＩＰxの立ち下りタイミングｔ０に近づけけるものとし、この場合を図８においてサスティンパルスＩＰy’として示す。このとき、図８に示すように、先行するサスティンパルスＩＰxの出力回路では上記スイッチＳ４に対応するスイッチＳ４’がオフとなる期間は、後続のサスティンパルスＩＰｙ’の立ち上りの期間と部分的に重なることになる。
【００４５】
これにより、サスティンパルスＩＰyの出力回路は、容量性の放電セルＣを介して結合されたサスティンパルスＩＰxの出力回路のスイッチＳ４’が接地状態となるため、共振特性によって瞬間的に放電セルＣにおける放電電流が増大する。この場合、図８の下側に示すように、サスティンパルスIＰy’が立ち上るときに瞬間的に本来の電圧値Ｖｓを超えて変化する。そして、先行するサスティンパルスＩＰxの立ち下りの期間と、後続のサスティンパルスＩＰyの立ち上りの期間の重なりが長くなるほど、サスティンパルスＩＰyにおける電圧変化が大きくなるので、その分だけ放電セルＣの放電電圧を大きくすることができる。
【００４６】
なお、累積発光回数又は累積使用時間と、サスティンパルスＩＰx、ＩＰyの印加タイミングに対する実際の制御量の関係は、回路構成や各放電セルの放電特性に依存して適宜に設定すればよい。また、制御部１９では、上述の駆動パルスの電圧値と同様、サスティンパルスＩＰx、ＩＰyの印加タイミングの制御量をテーブル化して所定のメモリに保持し、所定の条件に従ってＸサスティンドライバ１３又はＹサスティンドライバ１４を駆動する際にテーブル値を読み出して制御を行えばよい。
【００４７】
なお、本実施形態では、表示デバイスとしてＰＤＰ１５を用いる場合を説明したが、これに限らず、様々な表示デバイスを用いて構成される映像表示装置に対し広く本発明を適用することができる。
【００４８】
以上説明したように本発明によれば、ディスプレイパネルを駆動する際、累積発光回数に基づいて、ディスプレイパネルの経年変化を補償するように駆動パルスの電圧値又は駆動パルスの印加タイミングのいずれか一方を制御するようにしたので、ディスプレイパネルを長期間使用する場合の画質劣化を防止し、良好な画質を維持することが可能となる。
【図面の簡単な説明】
【図１】本実施形態に係る映像表示装置の要部構成を示すブロック図である。
【図２】サブフィールド法に基づくＰＤＰの駆動方法を説明する図であり、各フィールドがＮ個のサブフィールドで構成された状態を示す図である。
【図３】サブフィールド法に基づくＰＤＰの駆動方法を説明する図であり、各サブフィールドのリセット期間、アドレス期間、サスティン期間において印加される各パルスの波形パターンを示す図である。
【図４】ＡＢＬ特性の一例を示す図である。
【図５】累積発光回数又は累積使用時間に応じて、Ｘサスティンドライバ又はＹサスティンドライバの各駆動パルスの電圧値を変更する制御方法の一例を示す図である。
【図６】累積発光回数又は累積使用時間に応じて、サスティンパルスＩＰx、ＩＰyの印加タイミングを変更する制御方法の一例を示す図である。ある。
【図７】ＹサスティンドライバのうちサスティンパルスＩＰｙの出力回路の回路構成を示す図である。
【図８】図７に示す出力回路における各部の波形パターンを示す図である。
【符号の説明】
１０…Ａ／Ｄ変換器
１１…表示データ生成部
１２…アドレスドライバ
１３…Ｘサスティンドライバ
１４…Ｙサスティンドライバ
１５…ＰＤＰ
１６…ＡＰＬ算出部
１７…累積発光回数算出部
１８…累積使用時間検出部
１９…制御部
【図１】
0004669633.tif 000002
【図２】
0004669633.tif 000003
【図３】
0004669633.tif 000004
【図４】
0004669633.tif 000005
【図５】
0004669633.tif 000006
【図６】
0004669633.tif 000007
【図７】
0004669633.tif 000008
【図８】
0004669633.tif 000009